(57)【要約】      （修正有）【課題】コンテンツ情報の著作権を保護しながら、外部機器でコンテンツ情報を使用することが可能なナビゲーション装置を提供する。【解決手段】ナビゲーション装置１０は、地図情報を記憶するフラッシュメモリ１５と、表示部２２を有する電子書籍端末２０と通信可能なＢｌｕｅｔｏｏｔｈ（登録商標）モジュール１８と、ユーザによる操作に基づいて、Ｂｌｕｅｔｏｏｔｈモジュール１８を介して地図情報を電子書籍端末２０に送信する制御を行うＣＰＵ１４とを備え、ＣＰＵ１４は、電子書籍端末２０に地図情報を送信した場合に、Ｂｌｕｅｔｏｏｔｈモジュール１８を介して、電子書籍端末２０において地図情報を使用可能とするパスワードを電子書籍端末２０に対してさらに送信する制御を行うように構成されている。【選択図】図２
2012093136.tif 000002
【特許請求の範囲】
【請求項１】
地図情報を含むコンテンツ情報を記憶する記憶部と、
表示部を有する外部機器と通信可能な通信部と、
ユーザによる操作に基づいて、前記通信部を介して前記コンテンツ情報を前記外部機器に送信する制御を行う制御部とを備え、
前記制御部は、前記外部機器に前記コンテンツ情報を送信した場合に、前記通信部を介して、前記外部機器において前記コンテンツ情報を使用可能とする著作権保護のための情報を前記外部機器に対してさらに送信する制御を行うように構成されている、ナビゲーション装置。
【請求項２】
前記制御部は、前記外部機器において前記コンテンツ情報を使用可能とする前記著作権保護のための情報を生成するとともに、生成した前記著作権保護のための情報を前記外部機器に対して送信するように構成されている、請求項１に記載のナビゲーション装置。
【請求項３】
前記通信部は、無線通信可能な無線通信部を含み、
前記制御部は、前記無線通信部を介して前記著作権保護のための情報を入力可能なキーボードのキーを仮想的に入力するとともに、入力した前記著作権保護のための情報を前記外部機器に送信することにより、前記外部機器において前記コンテンツ情報を使用可能とするように構成されている、請求項１または２に記載のナビゲーション装置。
【請求項４】
前記制御部は、前記外部機器の表示部において前記地図情報に対応する地図を閲覧することが可能となるように、ユーザによる操作に基づいて、前記通信部を介して前記コンテンツ情報を前記外部機器に送信するように構成されている、請求項１〜３のいずれか１項に記載のナビゲーション装置。
【請求項５】
前記著作権保護のための情報は、パスワードおよび識別情報のうちの少なくともパスワードを含む、請求項１〜４のいずれか１項に記載のナビゲーション装置。
【請求項６】
表示部と、第１通信部と、第１制御部とを含む外部機器と、
地図情報を含むコンテンツ情報を記憶する記憶部と、前記外部機器と通信可能な第２通信部と、ユーザによる操作に基づいて、前記第２通信部を介して前記コンテンツ情報を前記外部機器に送信する制御を行う第２制御部とを含むナビゲーション装置とを備え、
前記ナビゲーション装置の第２制御部は、前記外部機器に前記コンテンツ情報を送信した場合に、前記第２通信部を介して、前記外部機器において前記コンテンツ情報を使用可能とする著作権保護のための情報を前記外部機器に対してさらに送信する制御を行うように構成されており、
前記外部機器の第１制御部は、前記ナビゲーション装置から前記コンテンツ情報および前記著作権保護のための情報を受信した場合に、受信した前記コンテンツ情報に対応する表示を行うように構成されている、ナビゲーション装置のコンテンツ情報転送システム。
【発明の詳細な説明】
【技術分野】
【０００１】
この発明は、ナビゲーション装置およびナビゲーション装置のコンテンツ情報転送システムに関し、特に、コンテンツ情報を記憶する記憶部を備えるナビゲーション装置およびナビゲーション装置のコンテンツ情報転送システムに関する。
【背景技術】
【０００２】
従来、コンテンツ情報を記憶する記憶部を備えるナビゲーション装置およびナビゲーション装置のコンテンツ情報転送システムが知られている（たとえば、特許文献１参照）。
【０００３】
上記特許文献１には、地図データ（コンテンツ情報）を記憶するストレージデバイス（記憶部）を備えるカーナビゲーション装置（ナビゲーション装置）が開示されている。上記特許文献１のカーナビゲーション装置は、ストレージデバイスに記憶されている地図データのバックアップ保存のために、地図データを他のストレージデバイスに複製することが可能なように構成されている。その一方で、上記特許文献１のカーナビゲーション装置では、地図データの著作権を保護するために、複製された地図データは複製元のカーナビゲーション装置のみで使用可能に処理される。
【先行技術文献】
【特許文献】
【０００４】
【特許文献１】特開２００７−３０４８２２号公報
【発明の概要】
【発明が解決しようとする課題】
【０００５】
しかしながら、上記特許文献１によるカーナビゲーション装置（ナビゲーション装置）では、複製された地図データ（コンテンツ情報）の著作権を保護するために、複製された地図データを他の機器などで使用することができないという問題点がある。
【０００６】
この発明は、上記のような課題を解決するためになされたものであり、この発明の１つの目的は、コンテンツ情報の著作権を保護しながら、外部機器でコンテンツ情報を使用することが可能なナビゲーション装置およびナビゲーション装置のコンテンツ情報転送システムを提供することである。
【課題を解決するための手段および発明の効果】
【０００７】
この発明の第１の局面によるナビゲーション装置は、地図情報を含むコンテンツ情報を記憶する記憶部と、表示部を有する外部機器と通信可能な通信部と、ユーザによる操作に基づいて、通信部を介してコンテンツ情報を外部機器に送信する制御を行う制御部とを備え、制御部は、外部機器にコンテンツ情報を送信した場合に、通信部を介して、外部機器においてコンテンツ情報を使用可能とする著作権保護のための情報を外部機器に対してさらに送信する制御を行うように構成されている。
【０００８】
この第１の局面によるナビゲーション装置では、上記のように、外部機器にコンテンツ情報を送信した場合に、通信部を介して、外部機器においてコンテンツ情報を使用可能とする著作権保護のための情報を外部機器に対してさらに送信することによって、コンテンツ情報を使用可能とする著作権保護のための情報を使用することにより、著作権が保護されたコンテンツ情報を外部機器において使用することができる。一方、著作権保護のための情報が送信された外部機器以外の著作権保護のための情報を有しない外部機器では、コンテンツ情報を使用することができないので、コンテンツ情報の著作権を保護することができる。これらの結果、コンテンツ情報の著作権を保護しながら、外部機器でコンテンツ情報を使用することができる。
【０００９】
上記第１の局面によるナビゲーション装置において、好ましくは、制御部は、外部機器においてコンテンツ情報を使用可能とする著作権保護のための情報を生成するとともに、生成した著作権保護のための情報を外部機器に対して送信するように構成されている。このように構成すれば、制御部により著作権保護のための情報が生成されることにより、ユーザが著作権保護のための情報を設定する必要がないので、ユーザの利便性を向上させることができる。また、生成した著作権保護のための情報を外部機器に対して送信することによって、ユーザを介さずに生成した著作権保護のための情報を自動的に外部機器に対して送信することができるので、著作権保護のための情報がユーザを介して外部に漏れるのを抑制することができる。その結果、複製されたコンテンツ情報の著作権を効果的に保護することができる。
【００１０】
上記第１の局面によるナビゲーション装置において、好ましくは、通信部は、無線通信可能な無線通信部を含み、制御部は、無線通信部を介して著作権保護のための情報を入力可能なキーボードのキーを仮想的に入力するとともに、入力した著作権保護のための情報を外部機器に送信することにより、外部機器においてコンテンツ情報を使用可能とするように構成されている。このように構成すれば、無線通信によるキーボード入力可能な外部機器を用いることにより、容易に、著作権保護のための情報を自動的に外部機器に入力することができる。
【００１１】
上記第１の局面によるナビゲーション装置において、好ましくは、制御部は、外部機器の表示部において地図情報に対応する地図を閲覧することが可能となるように、ユーザによる操作に基づいて、通信部を介してコンテンツ情報を外部機器に送信するように構成されている。このように構成すれば、複製された地図情報の著作権を保護しながら、複製された地図情報に対応する地図を外部機器の表示部を用いて閲覧することができる。
【００１２】
上記第１の局面によるナビゲーション装置において、好ましくは、著作権保護のための情報は、パスワードおよび識別情報のうちの少なくともパスワードを含む。このように構成すれば、複製されたコンテンツ情報の使用が少なくともパスワードによって制限されるので、複製されたコンテンツ情報の著作権を保護しながら、外部機器でコンテンツ情報を使用することができる。
【００１３】
この発明の第２の局面によるナビゲーション装置のコンテンツ情報転送システムは、表示部と、第１通信部と、第１制御部とを含む外部機器と、地図情報を含むコンテンツ情報を記憶する記憶部と、外部機器と通信可能な第２通信部と、ユーザによる操作に基づいて、第２通信部を介してコンテンツ情報を外部機器に送信する制御を行う第２制御部とを含むナビゲーション装置とを備え、ナビゲーション装置の第２制御部は、外部機器にコンテンツ情報を送信した場合に、第２通信部を介して、外部機器においてコンテンツ情報を使用可能とする著作権保護のための情報を外部機器に対してさらに送信する制御を行うように構成されており、外部機器の第１制御部は、ナビゲーション装置からコンテンツ情報および著作権保護のための情報を受信した場合に、受信したコンテンツ情報に対応する表示を行うように構成されている。
【００１４】
この第２の局面によるナビゲーション装置のコンテンツ情報転送システムでは、上記のように、ナビゲーション装置を、外部機器にコンテンツ情報を送信した場合に、第２通信部を介して、外部機器においてコンテンツ情報を使用可能とする著作権保護のための情報を外部機器に対してさらに送信するように構成することによって、コンテンツ情報を使用可能とする著作権保護のための情報を使用することにより、著作権が保護されたコンテンツ情報を外部機器において使用することができる。一方、著作権保護のための情報が送信された外部機器以外の著作権保護のための情報を有しない外部機器では、コンテンツ情報が使用できないので、コンテンツ情報の著作権を保護することができる。これらの結果、コンテンツ情報の著作権を保護しながら、外部機器でコンテンツ情報を使用することができる。
【図面の簡単な説明】
【００１５】
【図１】本発明の一実施形態によるコンテンツ情報転送システムの全体構成を説明するための斜視図である。
【図２】本発明の一実施形態によるコンテンツ情報転送システムの内部構成を説明するためのブロック図である。
【図３】本発明の一実施形態によるコンテンツ情報転送システムの地図情報の転送および地図情報のＰＤＦファイルのオープン処理を説明するためのフローチャートである。
【発明を実施するための形態】
【００１６】
以下、本発明を具体化した実施形態を図面に基づいて説明する。
【００１７】
まず、図１および図２を参照して、本発明の一実施形態によるナビゲーション装置１０を備えるコンテンツ情報転送システム１の構成について説明する。
【００１８】
図１および図２に示すように、本発明の一実施形態によるコンテンツ情報転送システム１は、自動車のダッシュボード２（図１参照）に収納された外部に持ち出し不可能な据え置き型のナビゲーション装置１０と、ユーザにより持ち運び可能な電子書籍端末２０とにより構成されている。なお、電子書籍端末２０は、本発明の「外部機器」の一例である。
【００１９】
ナビゲーション装置１０は、ナビゲーション装置本体１１（図１参照）と、ナビゲーション装置本体１１の正面に設けられた表示部１２と、表示部１２がタッチされることにより操作可能なタッチパネル操作部１３とを備えている。また、図２に示すように、ナビゲーション装置１０は、さらに、ナビゲーション装置１０の制御を司るＣＰＵ１４と、地図情報（コンテンツ情報）および地図情報の著作権を保護する著作権保護データを記憶するフラッシュメモリ１５と、ＲＡＭ１６と、ＧＰＳ（Ｇｌｏｂａｌ  Ｐｏｓｉｔｉｏｎｉｎｇ  Ｓｙｓｔｅｍ）通信部１７と、予めペアリング設定を行っている機器（たとえば、電子書籍端末２０）と無線通信を行うことが可能なＢｌｕｅｔｏｏｔｈ（登録商標）モジュール１８とを備えている。なお、ＣＰＵ１４は、本発明の「制御部」および「第２制御部」の一例であり、フラッシュメモリ１５は、本発明の「記憶部」の一例である。また、Ｂｌｕｅｔｏｏｔｈモジュール１８は、本発明の「通信部」、「無線通信部」および「第２通信部」の一例である。
【００２０】
ナビゲーション装置１０の表示部１２は、ＣＰＵ１４による制御に基づいて、フラッシュメモリ１５に記憶されている地図情報に対応する地図１２ａおよび操作画面（図示せず）などを表示するように構成されている。また、タッチパネル操作部１３は、表示部１２に表示された操作画面（図示せず）にしたがってタッチ操作可能に構成されている。また、ＧＰＳ通信部１７は、複数のＧＰＳ衛星（図示せず）からの発信電波を受信するとともに、受信した電波に基づいてナビゲーション装置１０の位置を演算する機能を有する。
【００２１】
ここで、本実施形態では、ＣＰＵ１４は、ユーザがタッチパネル操作部１３を操作することに基づいて、Ｂｌｕｅｔｏｏｔｈモジュール１８を介して地図情報の一部を電子書籍端末２０に送信する制御を行うように構成されている。具体的には、ＣＰＵ１４は、表示部１２に表示されている地図１２ａに対応する地図情報と略同一の範囲の地図情報をＰＤＦファイル形式として生成するように構成されている。この場合、生成されたＰＤＦファイルは、生成されたＰＤＦファイルの著作権を保護するために、ＰＤＦファイルを生成する際にパスワード設定を行う。なお、パスワードは、本発明の「著作権保護のための情報」の一例である。
【００２２】
また、本実施形態では、ＣＰＵ１４は、ＰＤＦファイルに対して一意的に定まるパスワードを生成することにより、ＰＤＦファイルのパスワード設定を行うことが可能なように構成されている。また、ＣＰＵ１４は、生成したパスワードを用いることにより生成したＰＤＦファイルのパスワードを設定して、ＰＤＦファイルを一時的に保存するように構成されている。これにより、次回にＰＤＦファイルを開く場合には、ＰＤＦファイルに設定されたパスワードを入力しなければ、ＰＤＦファイルを開くことができなくなる。また、地図情報のＰＤＦファイルが開かれる際には、パスワード入力要求が行われる。
【００２３】
また、ＣＰＵ１４は、Ｂｌｕｅｔｏｏｔｈモジュール１８を介して、生成した地図情報のＰＤＦファイルを電子書籍端末２０に送信するように構成されている。また、ＣＰＵ１４は、Ｂｌｕｅｔｏｏｔｈモジュール１８を介して、上記地図情報のＰＤＦファイルを電子書籍端末２０に送信した場合に、電子書籍端末２０において地図情報のＰＤＦファイルを使用可能とするパスワードを電子書籍端末２０に対してさらに送信する制御を行うように構成されている。
【００２４】
また、本実施形態では、ＣＰＵ１４は、パスワードに対応するキーボードのキーを仮想的に入力することにより、Ｂｌｕｅｔｏｏｔｈモジュール１８を介して、電子書籍端末２０にパスワードを送信するように構成されている。これにより、電子書籍端末２０において、地図情報のＰＤＦファイルを開く際のパスワード入力要求に応じて仮想的なキーボードを用いてパスワードを入力することが可能となる。
【００２５】
また、電子書籍端末２０は、電子書籍端末本体２１（図１参照）と、電子書籍端末本体２１の正面に設けられた表示部２２と、表示部２２がタッチされることにより操作可能なタッチパネル操作部２３とを備えている。また、図２に示すように、電子書籍端末２０は、さらに、電子書籍端末２０の制御を司るＣＰＵ２４と、ナビゲーション装置１０から送信された地図情報のＰＤＦファイルを記憶するフラッシュメモリ２５と、ＲＡＭ２６と、予めペアリング設定を行っているナビゲーション装置１０のＢｌｕｅｔｏｏｔｈモジュール１８と無線通信を行うことが可能なＢｌｕｅｔｏｏｔｈモジュール２７とを備えている。なお、ＣＰＵ２４は、本発明の「第１制御部」の一例であり、Ｂｌｕｅｔｏｏｔｈモジュール２７は、本発明の「第１通信部」の一例である。
【００２６】
電子書籍端末２０の表示部２２は、ＣＰＵ２４による制御に基づいて、フラッシュメモリ２５に記憶されている地図情報のＰＤＦファイルに対応する地図２２ａおよび操作画面（図示せず）などを表示するように構成されている。また、タッチパネル操作部２３は、表示部２２に表示された操作画面（図示せず）にしたがってタッチ操作可能に構成されている。
【００２７】
ここで、本実施形態では、電子書籍端末２０のＣＰＵ２４は、ナビゲーション装置１０から地図情報（コンテンツ情報）のＰＤＦファイルおよびパスワードを受信した場合に、受信したナビゲーション装置１０の地図情報に対応する地図１２ａを電子書籍端末２０でも閲覧可能となるように、地図１２ａと略同一の範囲の地図２２ａの表示を表示部２２に行うように制御するように構成されている。具体的には、ＣＰＵ２４は、ナビゲーション装置１０から地図情報のＰＤＦファイルおよびパスワードを受信した場合に、地図情報のＰＤＦファイルを受信した旨を表示部２２に表示することにより、ユーザに対して地図情報のＰＤＦファイルを受信した旨を通知する制御を行うように構成されている。そして、ＣＰＵ２４は、ユーザによる操作に基づいて地図情報のＰＤＦファイルを開く操作がされた場合に、ナビゲーション装置１０から受信した地図情報のＰＤＦファイルを開く際のパスワードを入力する制御を行うように構成されている。これにより、ユーザが手動でパスワードを入力することによりパスワード入力要求に応じるのではなく、自動的にパスワード入力要求に応じてパスワードを入力する制御が行われるとともに、地図情報のファイルを開くことが可能となる。
【００２８】
次に、図１〜図３を参照して、本実施形態によるコンテンツ情報転送システム１の地図情報の転送および地図情報のＰＤＦファイルを開く処理について説明する。
【００２９】
まず、ナビゲーション装置１０と電子書籍端末２０とが通信可能な状態にユーザによりセットされた状態で、図３に示すように、ステップＳ１において、ナビゲーション装置１０のＣＰＵ１４（図２参照）により、タッチパネル操作部１３がユーザにより操作されることに基づいて、表示部１２に表示されている地図情報に対応する地図１２ａと略同一の範囲の地図情報を電子書籍端末２０に送信する操作が行われたか否かが判断される。そして、ステップＳ１において、地図情報を電子書籍端末２０に送信する操作が行われたと判断された場合には、ステップＳ２に進む。なお、地図情報を電子書籍端末２０に送信する操作が行われたと判断されるまで、ステップＳ１の動作は繰り返される。
【００３０】
その後、ステップＳ２において、表示部１２に表示されている地図１２ａと略同一の範囲の地図情報のＰＤＦファイルおよびＰＤＦファイルに対して一意的に定まるパスワードが生成される。この場合、ＰＤＦファイルは、生成されたパスワードが用いられることにより、パスワード設定された状態で一時的に保存される。これにより、この地図情報のＰＤＦファイルは、生成されたパスワードを入力しなければ開くことができない。
【００３１】
その後、ステップＳ３において、ナビゲーション装置１０のＣＰＵ１４により、パスワード設定された地図情報のＰＤＦファイルが、Ｂｌｕｅｔｏｏｔｈモジュール２７と予めペアリング設定されている電子書籍端末２０のＢｌｕｅｔｏｏｔｈモジュール１８に送信される。なお、地図情報のＰＤＦファイルは、Ｂｌｕｅｔｏｏｔｈプロファイルのうち、名刺データなどの交換を行うためのＯＰＰ（Ｏｂｊｅｃｔ  Ｐｕｓｈ  Ｐｒｏｆｉｌｅ）によって送信される。そして、ステップＳ４において、ナビゲーション装置１０のＣＰＵ１４は、電子書籍端末２０側でＰＤＦファイルが開かれるのを待つために、約１秒間待機する。
【００３２】
そして、電子書籍端末２０では、ナビゲーション装置１０から地図情報のＰＤＦファイルが送信されることにより、ステップＳ１１において、電子書籍端末２０のＣＰＵ２４により、Ｂｌｕｅｔｏｏｔｈモジュール２７を介して地図情報のＰＤＦファイルが受信される。そして、ステップＳ１２において、電子書籍端末２０のＣＰＵ２４により、受信したＰＤＦファイルを開く操作が完了したか否かが判断される。具体的には、ステップＳ１２において、ユーザによる受信した地図情報のＰＤＦファイルを開くための操作が行われたか否かが判断される。そして、受信したＰＤＦファイルを開く操作が完了したと判断された場合には、ステップＳ１３に進む。なお、受信したＰＤＦファイルを開く操作が完了したと判断されるまで、ステップＳ１２の動作は繰り返される。
【００３３】
一方、ナビゲーション装置１０では、ステップＳ５において、ナビゲーション装置１０のＣＰＵ１４により、パスワードの送信操作が行われたか否かが判断される。つまり、ステップＳ５において、表示部１２の図示しない操作画面により、生成されたパスワードを電子書籍端末２０に対して送信する操作がユーザにより行われたか否かが判断される。そして、ステップＳ５において、パスワードの送信操作が行われたと判断された場合には、ステップＳ６に進む。なお、パスワードの送信操作が行われたと判断されるまで、ステップＳ５の動作は繰り返される。その後、ステップＳ６において、ナビゲーション装置１０のＣＰＵ１４により、生成したパスワードが、Ｂｌｕｅｔｏｏｔｈモジュール２７と予めペアリング設定されている電子書籍端末２０のＢｌｕｅｔｏｏｔｈモジュール１８に送信される。なお、パスワードは、Ｂｌｕｅｔｏｏｔｈプロファイルのうち、マウスやキーボードなどの入力装置を無線化するためのＨＩＤ（Ｈｕｍａｎ  Ｉｎｔｅｒｆａｃｅ  Ｄｅｖｉｃｅ）プロファイルによって送信され、ナビゲーション装置１０のＣＰＵ１４の処理が終了する。
【００３４】
そして、電子書籍端末２０では、ステップＳ１３において、電子書籍端末２０のＣＰＵ２４により、Ｂｌｕｅｔｏｏｔｈモジュール２７を介してパスワードが受信される。これにより、電子書籍２０において地図情報のＰＤＦファイルを開く際のパスワード入力要求に応じたパスワードが入力される。また、パスワードは、マウスやキーボードなどの入力装置を無線化するためのＨＩＤ（Ｈｕｍａｎ  Ｉｎｔｅｒｆａｃｅ  Ｄｅｖｉｃｅ）プロファイルによって受信されるため、あたかも、電子書籍端末２０に接続されたＢｌｕｅｔｏｏｔｈキーボードにより入力されたかのようにパスワードが自動的に入力される。
【００３５】
そして、ステップＳ１４において、電子書籍端末２０のＣＰＵ２４により、入力されたパスワードが地図情報のＰＤＦファイルを開く際の設定されたパスワードと一致するか否かが判断される。そして、ステップＳ１４において、入力されたパスワードが地図情報のＰＤＦファイルを開く際の設定されたパスワードと一致したと判断された場合には、ステップＳ１５に進む。そして、ステップＳ１５において、地図情報のＰＤＦファイルが開かれ、地図２２ａ（図１参照）が表示部２２に表示される。
【００３６】
また、ステップＳ１４において、Ｂｌｏｏｔｏｏｔｈの通信エラーなどにより、入力されたパスワードが地図情報のＰＤＦファイルを開く際の設定されたパスワードと一致しなかったと判断された場合には、ステップＳ１６に進む。そして、ステップＳ１６において、地図情報のＰＤＦファイルが開かれずに、処理が終了する。
【００３７】
本実施形態では、上記のように、電子書籍端末２０に地図情報（コンテンツ情報）を送信した場合に、通信部を介して、電子書籍端末２０において地図情報を使用可能とするパスワード（著作権保護のための情報）を電子書籍端末２０に対してさらに送信することによって、地図情報を使用可能とするパスワードを使用することにより、著作権が保護された地図情報を電子書籍端末２０において使用することができる。一方、パスワードが送信された電子書籍端末２０以外のパスワードを有しない電子書籍端末では、地図情報が使用できないので、地図情報の著作権を保護することができる。これらの結果、地図情報の著作権を保護しながら、電子書籍端末２０で地図情報を使用することができる。
【００３８】
また、本実施形態では、上記のように、電子書籍端末２０において地図情報を使用可能とするパスワード（著作権保護のための情報）を生成することによって、ユーザがパスワードを設定する必要がないので、ユーザの利便性を向上させることができる。また、生成したパスワードを電子書籍端末２０に対して送信することによって、ユーザを介さずに生成したパスワードを自動的に電子書籍端末２０に対して送信することができるので、パスワードがユーザを介して外部に漏れるのを抑制することができる。その結果、複製された地図情報の著作権を効果的に保護することができる。
【００３９】
また、本実施形態では、上記のように、Ｂｌｕｅｔｏｏｔｈモジュール１８を介してパスワードを入力可能なキーボードのキーを仮想的に入力するとともに、入力したパスワードを電子書籍端末２０に送信することにより、電子書籍端末２０において地図情報を使用可能とすることによって、Ｂｌｕｅｔｏｏｔｈ通信（ＨＩＤプロファイルによる通信）によるキーボード入力可能な電子書籍端末２０を用いることにより、容易に、パスワード自動的にを電子書籍端末２０に入力することができる。
【００４０】
また、本実施形態では、上記のように、電子書籍端末２０の表示部２２において地図情報に対応する地図２２ａを閲覧することが可能となるように、ユーザによる操作に基づいて、Ｂｌｕｅｔｏｏｔｈモジュール１８を介して地図情報を電子書籍端末２０に送信することによって、複製された地図情報の著作権を保護しながら、複製された地図情報に対応する地図２２ａを電子書籍端末２０の表示部２２を用いて閲覧することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明の著作権保護のための情報としてパスワードのみを用いた例について示したが、本発明はこれに限られない。たとえば、本発明の著作権保護のための情報として生成したＰＤＦファイルに対して一意的に定まるパスワードに加えて、生成したＰＤＦファイルに対して一意的に定まるユーザＩＤ（識別情報）を用いるようにしてもよい。
【００４３】
また、上記実施形態では、本発明の外部機器の一例として電子書籍端末を適用した例について示したが、本発明はこれに限られない。本発明では、ユーザにより持ち運び可能な表示部を有する外部機器であればよい。たとえば、携帯性を有する表示部を有する情報処理端末などの、電子書籍端末以外の外部機器に本発明を適用してもよい。
【００４４】
また、上記実施形態では、本発明の著作権を保護するコンテンツ情報の一例として地図情報を用いた例について示したが、本発明はこれに限られない。たとえば、目的地の電話番号など、地図情報以外の情報を本発明のコンテンツ情報として適用してもよい。
【００４５】
また、上記実施形態では、本発明の通信部および第２通信部の一例としてＢｌｕｅｔｏｏｔｈモジュールを用いた例について示したが、本発明はこれに限られない。外部機器と通信可能であれば、たとえば、Ｚｉｇｂｅｅなど、Ｂｌｕｅｔｏｏｔｈ以外の無線通信部を用いてもよいし、たとえば、ＵＳＢインターフェースおよびＩＥＥＥ１３９４インターフェースなどの有線通信部を用いてもよい。
【００４６】
また、上記実施形態では、ＰＤＦファイルを電子書籍端末に送信する処理とパスワードを電子書籍端末に送信する処理とを別々のステップで処理する例について示したが、本発明はこれに限られない。ＰＤＦファイルを電子書籍端末に送信する際に、ＰＤＦファイルにパスワードを埋め込むことにより、双方を同時に送信するようにしてもよい。
【００４７】
また、上記実施形態では、ナビゲーション装置の表示部に表示した地図の一部と略同一の範囲の地図情報を電子書籍端末に送信する例について示したが、本発明はこれに限られない。本発明では、ナビゲーション装置の表示部に表示した地図の一部ではなく、ナビゲーション装置の表示部に表示していない地図の一部を電子書籍端末に送信してもよいし、ナビゲーション装置のフラッシュメモリに記憶されている地図情報全体を電子書籍端末に送信してもよい。
【符号の説明】
【００４８】
１  コンテンツ情報転送システム（ナビゲーション装置のコンテンツ情報転送システム）
１０  ナビゲーション装置
１４  ＣＰＵ（制御部、第２制御部）
１５  フラッシュメモリ（記憶部）
１８  Ｂｌｕｅｔｏｏｔｈモジュール（通信部、無線通信部、第２通信部）
２０  電子書籍端末（外部機器）
２２  表示部
２４  ＣＰＵ（第１制御部）
２７  Ｂｌｕｅｔｏｏｔｈモジュール（第１通信部）
【図１】
2012093136.tif 000003
【図２】
2012093136.tif 000004
【図３】
2012093136.tif 000005